(57)【要約】      （修正有）【課題】建物の出入口を随時に塞いで外部からの水の侵入を防止できるようにした建物における出入口閉鎖装置を提供する。【解決手段】建物における出入口閉鎖装置であって、出入口床面の収納溝内に折り畳み可能に収納され且つ収納溝Ｇｂ内壁に基端部が水密に結合されて、展開時には出入口を閉鎖し得る防水シートＳと、出入口の左右両側壁に設けられて該左右両側壁に防水シートＳの左右両側縁部を連結可能な左右一対の側方連結部と、出入口床面に支持可能な中間柱Ｍとを備え、中間柱Ｍの上端部に、係止具Ｆを支持する昇降支持体ＦＳが所定の上限位置と下限位置との間で移動可能に取付けられ、昇降支持体ＦＳと中間柱Ｍ間に、昇降支持体を上限位置側に付勢するばね部材ＳＰが設けられる。【選択図】図７
0003181355.tif 000002
【実用新案登録請求の範囲】
【請求項１】
建物の出入口（Ｅ）を随時に塞いで外部からの水の侵入を防止できるようにした建物における出入口閉鎖装置であって、
前記出入口（Ｅ）の床面（ｆ）に凹設した収納溝（Ｇｂ）と、その収納溝（Ｇｂ）内に折り畳み可能に収納され且つ該収納溝（Ｇｂ）の内壁に基端部が水密に結合されて、展開時には前記出入口（Ｅ）を閉鎖し得る可撓性の防水シート（Ｓ）と、前記出入口（Ｅ）の左右両側壁にそれぞれ設けられて該左右両側壁に前記防水シート（Ｓ）の左右両側縁部をそれぞれ着脱可能に且つ水密に連結可能な左右一対の側方連結部（Ｈ）と、前記出入口（Ｅ）の床面（ｆ）より起立した状態で該床面（ｆ）に支持可能な少なくとも１本の中間柱（Ｍ）と、前記収納溝（Ｇｂ）の開放上面を開閉可能に被覆する蓋（Ｔ）とを備え、
前記防水シート（Ｓ）の展開時には、その防水シート（Ｓ）の中間部上端縁に設けた被係止部（３ａ）を、前記中間柱（Ｍ）の上部に設けた係止具（Ｆ）に係脱可能に係止させるようにしたものにおいて、
前記中間柱（Ｍ）の上端部に、前記係止具（Ｆ）を一体的に支持する昇降支持体（ＦＳ）が所定の上限位置と下限位置との間で往復移動可能に取付けられ、
その昇降支持体（ＦＳ）と前記中間柱（Ｍ）間には、該昇降支持体（ＦＳ）を前記上限位置側に常時、付勢するばね部材（ＳＰ）が設けられることを特徴とする、建物における出入口閉鎖装置。
【請求項２】
前記中間柱（Ｍ）は、平時は前記収納溝（Ｇｂ）内に収納されていて、前記防水シート（Ｓ）の展開時には、前記出入口（Ｅ）の床面（ｆ）に設けた取付孔（Ｅｈ）に該中間柱（Ｍ）の基端部が抜差可能に嵌合、支持されることを特徴とする、請求項１記載の建物における出入口閉鎖装置。
【請求項３】
各々の前記側方連結部（Ｈ）は、前記出入口（Ｅ）の側壁に固定される側部枠（Ｇｓ）と、その側部枠（Ｇｓ）の内壁に設けたシート受け面（１０）に固定されて前記防水シート（Ｓ）の側縁部に当接し得るシール部材（ＳＥ）と、そのシール部材（ＳＥ）を挟んで前記シート受け面（１０）に前記防水シート（Ｓ）の側縁部を圧接させる圧接手段（Ａ）とを少なくとも備え、
各々の前記圧接手段（Ａ）は、前記防水シート（Ｓ）の側縁部を前記シール部材（ＳＥ）に押し付ける押付け位置（Ｐ１）と同シート（Ｓ）の側縁部を解放する解放位置（Ｐ２）との間を回動し得るように前記側部枠（Ｇｓ）の内壁に軸支（Ｐｊ）されたシート押え部材（Ｐ）と、このシート押え部材（Ｐ）に回動可能に保持された、ハンドル（ＨＡ）付きの操作軸（Ｊ）と、この操作軸（Ｊ）及び前記側部枠（Ｇｓ）間に設けられるカム機構（ＣＡ）とを備えていて、前記シート押え部材（Ｐ）と前記シール部材（ＳＥ）との間で前記防水シート（Ｓ）の側縁部を挟んだ状態で前記操作軸（Ｊ）を所定のアンロック位置（ＵＬ）からロック位置（ＬＯ）まで回動操作させるのに連動して、前記カム機構（ＣＡ）が、該シート押え部材（Ｐ）を前記押付け位置（Ｐ１）まで押し込む押込力を発生させることを特徴とする、請求項１又は２に記載の建物における出入口閉鎖装置。
【請求項４】
前記カム機構（ＣＡ）は、前記側部枠（Ｇｓ）の内壁に固定されるストッパ（ＳＴ）と、このストッパ（ＳＴ）に係脱可能として前記操作軸（Ｊ）に固定したカム（Ｃ）とを備え、
そのカム（Ｃ）は、前記シート押え部材（Ｐ）と前記シール部材（ＳＥ）との間で前記防水シート（Ｓ）の側縁部を挟んだ状態で前記操作軸（Ｊ）を前記アンロック位置（ＵＬ）から前記ロック位置（ＬＯ）まで回動操作させるときに前記ストッパ（ＳＴ）と係合して前記押込力を発生させ、且つ該操作軸（Ｊ）が前記ロック位置（ＬＯ）にあるときには、前記シート押え部材（Ｐ）が前記シール部材（ＳＥ）より受ける弾性反力で前記カム（Ｃ）と前記ストッパ（ＳＴ）との係合状態が保持されることを特徴とする、請求項３に記載の建物における出入口閉鎖装置。
【考案の詳細な説明】
【技術分野】
【０００１】
本考案は、建物の出入口を随時に塞いで外部からの水の侵入を防止できるようにした建物における出入口閉鎖装置に関する。
【背景技術】
【０００２】
上記出入口閉鎖装置として、例えば、出入口の床面に凹設した収納溝と、その収納溝内に折り畳み可能に収納され且つ該収納溝の内壁に基端部が水密に結合されて、展開時には出入口を閉鎖し得る可撓性の防水シートと、出入口の左右両側壁にそれぞれ設けられて該左右両側壁に防水シートの左右両側縁部をそれぞれ着脱可能に且つ水密に連結可能な左右一対の側方連結部と、出入口の床面より起立した状態で該床面に支持可能な少なくとも１本の中間柱と、収納溝の開放上面を開閉可能に被覆する蓋とを少なくとも備え、防水シートの展開時には、その防水シートの中間部上端縁に設けた被係止部を、中間柱の上部に設けた係止具に係脱可能に係止させるようにしたものが知られている（下記特許文献１を参照）。
【先行技術文献】
【特許文献】
【０００３】
【特許文献１】特開２００１−２２７２５５号公報
【考案の概要】
【考案が解決しようとする課題】
【０００４】
従来装置では、防水シートを使用して出入口を閉鎖する場合に、出入口の床面から中間柱を立ち上げると共に、収納溝内に折り畳まれた防水シートを上方に展開させ、そのシートの中間部上端縁の被係止部を作業員が手作業で中間柱上端の係止具に係止させるのであるが、このとき、係止具の高さが被係止部よりも高過ぎる場合には、シート基端部が収納溝内壁に結合、固定される関係で、係止具に被係止部を係止させることが困難となる不都合がある。一方、その係止具の高さが被係止部よりも低過ぎる場合には、両者の係止が不確実となって、外力等を受けると外れ易くなる不都合がある。そのため、これらの不都合を回避すべく、防水シートの弛み調整を厳格に行う必要があり、その調整作業が容易ではなかった。
【０００５】
さらに防水シートの材質によっては、季節（気温）で伸縮量に差違が生じることから、使用時には調整時と異なるシート長さとなる場合があり、そのため、たとえ初期設定の際にシートの弛み調整を厳格に行った場合でも、使用時の気温によっては上記不都合が発生する場合がある。
【０００６】
本考案は、上記に鑑み提案されたものであり、従来の上記問題を簡単な構造で解決できるようにした建物における出入口閉鎖装置を提供することを目的とする。
【課題を解決するための手段】
【０００７】
上記目的を達成するために、請求項１の考案は、建物の出入口を随時に塞いで外部からの水の侵入を防止できるようにした建物における出入口閉鎖装置であって、前記出入口の床面に凹設した収納溝と、その収納溝内に折り畳み可能に収納され且つ該収納溝の内壁に基端部が水密に結合されて、展開時には前記出入口を閉鎖し得る可撓性の防水シートと、前記出入口の左右両側壁にそれぞれ設けられて該左右両側壁に前記防水シートの左右両側縁部をそれぞれ着脱可能に且つ水密に連結可能な左右一対の側方連結部と、前記出入口の床面より起立した状態で該床面に支持可能な少なくとも１本の中間柱と、前記収納溝の開放上面を開閉可能に被覆する蓋とを備え、前記防水シートの展開時には、その防水シートの中間部上端縁に設けた被係止部を、前記中間柱の上部に設けた係止具に係脱可能に係止させるようにしたものにおいて、前記中間柱の上端部に、前記係止具を一体的に支持する昇降支持体が所定の上限位置と下限位置との間で往復移動可能に取付けられ、その昇降支持体と前記中間柱間には、該昇降支持体を前記上限位置側に常時、付勢するばね部材が設けられることを特徴とする。
【０００８】
また請求項２の考案は、請求項１の考案の特徴に加えて、前記中間柱は、平時は前記収納溝内に収納されていて、前記防水シートの展開時には、前記出入口の床面に設けた取付孔に該中間柱の基端部が抜差可能に嵌合、支持されることを特徴とする。
【０００９】
また請求項３の考案は、請求項１又は２の考案の特徴に加えて、各々の前記側方連結部は、前記出入口の側壁に固定される側部枠と、その側部枠の内壁に設けたシート受け面に固定されて前記防水シートの側縁部に当接し得るシール部材と、そのシール部材を挟んで前記シート受け面に前記防水シートの側縁部を圧接させる圧接手段とを少なくとも備え、各々の前記圧接手段は、前記防水シートの側縁部を前記シール部材に押し付ける押付け位置と同シートの側縁部を解放する解放位置との間を回動し得るように前記側部枠の内壁に軸支されたシート押え部材と、このシート押え部材に回動可能に保持された、ハンドル付きの操作軸と、この操作軸及び前記側部枠間に設けられるカム機構とを備えていて、前記シート押え部材と前記シール部材との間で前記防水シートの側縁部を挟んだ状態で前記操作軸を所定のアンロック位置からロック位置まで回動操作させるのに連動して、前記カム機構が、該シート押え部材を前記押付け位置まで押し込む押込力を発生させることを特徴とする。
【００１０】
また請求項４の考案は、請求項３の考案の前記特徴に加えて、前記カム機構は、前記側部枠の内壁に固定されるストッパと、このストッパに係脱可能として前記操作軸に固定したカムとを備え、そのカムは、前記シート押え部材と前記シール部材との間で前記防水シートの側縁部を挟んだ状態で前記操作軸を前記アンロック位置から前記ロック位置まで回動操作させるときに前記ストッパと係合して前記押込力を発生させ、且つ該操作軸が前記ロック位置にあるときには、前記シート押え部材が前記シール部材より受ける弾性反力で前記カムと前記ストッパとの係合状態が保持されることを特徴とする。
【考案の効果】
【００１１】
本考案によれば、中間柱の上端部に、係止具を一体的に支持する昇降支持体が所定の上限位置と下限位置との間で往復移動可能に取付けられ、その昇降支持体と中間柱間には、昇降支持体を上限位置側に常時、付勢するばね部材が設けられるので、中間柱上端部に配設される係止具が、上方にばね付勢されつつ上限位置と下限位置間での上下移動を許容される。これにより、防水シートの弛み調整を厳格に行わなくても、また防水シートが気温変化等で多少伸縮したとしても、シート上端部の被係止部を係止具に常に的確に係止させることが可能となって、その係止が妄りに外れる虞れもなくなる。従って、その弛み調整の作業能率の向上を図りながら、防水シートの中間部上端を中間柱に的確に係止させて防水シートの展開状態を保持することができ、出入口を的確に閉鎖可能となる。
【００１２】
また特に請求項２の考案によれば、中間柱は、平時は出入口床面の収納溝内に収納されていて、防水シートの展開時に、出入口床面に設けた取付孔に該中間柱の基端部が抜差可能に嵌合、支持されるので、中間柱の保管場所を特別に確保する必要はなく、またシート展開時には、収納溝から取り出した中間柱の基端部を出入口床面の取付孔に単に嵌合するだけで、中間柱の取付けを簡単に行うことができる。
【００１３】
また特に請求項３の考案によれば、シート押え部材とシール部材との間で防水シートの側縁部を挟んだ状態で操作軸を所定のアンロック位置からロック位置まで単に回動操作させるだけで、その回動操作に連動するカム機構が、シート押え部材を押付け位置まで押し込む押込力を発生させるので、操作軸のハンドルに対するワンタッチ回動操作により、防水シート側縁部を出入口側壁に簡単且つ的確に、しかも水密に連結することができる。
【００１４】
また特に請求項４の考案によれば、操作軸に固定のカムが、操作軸をアンロック位置からロック位置まで回動操作させる時に、側部枠内壁に固定のストッパと係合して押込力を発生させ、且つ該操作軸がロック位置にあるときには、シート押え部材がシール部材より受ける弾性反力でカムとストッパとの係合状態が保持されるので、防水シート側縁部と出入口側壁間の水密接続状態を、シール部材の弾発力を利用した簡単なロック手段で的確に保持することができる。
【図面の簡単な説明】
【００１５】
【図１】本考案の一実施形態に係る建物の出入口閉鎖装置を示す全体斜視図であって、（Ａ）は防水シートを展開状態にセットした出入口閉鎖態様を、また（Ｂ）は防水シートを折り畳んで収納溝内に格納した出入口開放態様をそれぞれ示す
【図２】図１の２−２線拡大断面図
【図３】図２の３−３線拡大断面図
【図４】図３の４−４線拡大断面図
【図５】図３の５−５線拡大断面図
【図６】図３の６矢視より見た斜視図
【図７】中間柱による防水シートの支持状態を示す要部断面図（図１及び図２の７−７線拡大断面図）
【図８】図７の８−８線拡大断面図であって、（Ａ）は防水シートを中間柱のフックにセットした状態を、また（Ｂ）は防水シートを中間柱のフックから取り外した状態をそれぞれ示す
【図９】防水シートの格納状態を示す要部断面図（図１の９−９線拡大断面図）
【考案を実施するための形態】
【００１６】
以下、本考案の実施の形態について、添付の図面を参照しながら説明する。
【００１７】
先ず、図１において、建物には、その出入口Ｅを随時に塞いで外部からの水の侵入を防止できるようにした出入口閉鎖装置Ｘが設けられる。この出入口閉鎖装置Ｘの具体的構造を、図２〜図９も併せて参照して、次に説明する。
【００１８】
この出入口閉鎖装置Ｘは、出入口Ｅの床面ｆに凹設した収納溝Ｇｂと、その収納溝Ｇｂ内に折り畳み可能に収納され、上方への展開時には出入口Ｅを閉鎖し得る可撓性の防水シートＳと、出入口Ｅの左右両側壁にそれぞれ設けられて該左右両側壁に防水シートＳの左右両側縁部をそれぞれ着脱可能に且つ水密に連結可能な左右一対の側方連結部Ｈと、出入口Ｅの床面ｆより起立した状態で該床面ｆに支持可能な角パイプよりなる中間柱Ｍと、収納溝Ｇｂの開放上面を開閉可能に被覆する蓋としての下部蓋Ｔとを備えている。
【００１９】
前記収納溝Ｇｂは、出入口Ｅを横切るように直線状に延びており、図示例では、横断面コ字状のチャンネル枠１を出入口Ｅの床面ｆ下に埋入して固定されることで収納溝Ｇｂが形成される。
【００２０】
その収納溝Ｇｂ（即ちチャンネル枠１の内壁）の下部には、そこに締結したシート押え板２ｐにより、出入口Ｅよりもやや幅広の矩形状に形成された防水シートＳの基端部がゴムパッキン２ｓを挟んで水密に結合される。そのシート押え板２ｐの前記締結は、収納溝Ｇｂの内壁に植設されてゴムパッキン２ｓ及びシート押え板２ｐを貫通するボルト２３と、そのボルト２３に螺合するナット２４とにより行われる。尚、収納溝Ｇｂの底部には、そこに侵入した水を外部に排水すべく床面ｆ下に埋設された排水管２０が開口している。また、収納溝Ｇｂの側壁上部には、前記下部蓋Ｔを受ける蓋受け２１が突設される。
【００２１】
防水シートＳは、繊維で織った基布材の表面を、水を通さない合成樹脂やゴム等で被覆してなる可撓性のシート素材で形成される。その防水シートＳの自由端縁（上端縁）は、これに巻付けられるようにして固定された丸パイプ３で縁取られて補強されており、その丸パイプ３の中間部は、防水シートＳより露出して本考案の被係止部３ａを構成する。この被係止部３ａは、防水シートＳの上方への展開時（図１の（Ａ）の状態）には、中間柱Ｍの上部に設けた係止具としてのフックＦに係脱可能に係止させることができ、その係止により、防水シートＳの上方への展開状態を保持できるようになっている。
【００２２】
前記中間柱Ｍの上端部には、中間柱Ｍと同様に角パイプで構成された昇降支持体ＦＳが上下方向に摺動可能に嵌合、支持される。図８に明示されるように、中間柱Ｍの上部には、これを横切るように貫通するボルト４がナット５を用いて締結されており、このボルト４と、昇降支持体ＦＳの側壁に形成した長孔６とを相対摺動可能に係合させることで、昇降支持体ＦＳの昇降ストローク（即ち所定の上限位置及び下限位置）が規制される。そして、その昇降支持体ＦＳの下端と、中間柱Ｍの中間部に固設したばね受け座７との間には、昇降支持体ＦＳを上限位置側に常時、付勢するばね部材ＳＰが圧縮状態で設けられる。尚、中間柱Ｍの上部に形成されてボルト４を嵌合させるボルト孔８は長孔状に形成されるため、このボルト孔８の長さ範囲でボルト４の中間柱Ｍに対する締結位置が上下に調節可能となっている。
【００２３】
また、その昇降支持体ＦＳには、係止具としてのフックＦが建物の外側に突き出すようにして一体的に支持されており、このフックＦは、その先端部を上向きとして略Ｌ字状に形成される。
【００２４】
前記中間柱Ｍは、平時は収納溝Ｇｂ内に横倒し状態で収納されていて、防水シートＳの展開時には、出入口Ｅの床面ｆに設けた取付孔Ｅｈに該中間柱Ｍの基端部が抜差可能に嵌合、支持される。尚、収納溝Ｇｂ及び取付孔Ｅｈは、平時はそれぞれ下部蓋Ｔ，Ｔ′で開閉可能に閉じられ、それら下部蓋Ｔ，Ｔ′は、床面ｆの一部となる。
【００２５】
また、左右の側方連結部Ｈは、出入口Ｅの側壁に埋入するよう固定されて防水シートＳの側縁部を内部に受容し得る平断面コ字状のチャンネル枠よりなる側部枠Ｇｓと、その側部枠Ｇｓの内壁に設けたシート受け面１０に固定されて防水シートＳの側縁部に当接し得るゴム等の弾性材からなるシール部材ＳＥと、そのシール部材ＳＥを挟んでシート受け面１０に防水シートＳの側縁部を圧接させる圧接手段Ａと、シール部材ＳＥの一側でシート受け面１０に突設されて防水シートＳの側縁部に係脱可能に係止し得る複数の係止ピン１１とを各々備えており、それら係止ピン１１は、防水シートＳの側縁部に設けた複数の係止孔１２に抜差可能に嵌合、係止できるようになっている。
【００２６】
前記シート受け面１０は、収納溝Ｇｂの内壁面と面一となっており、防水シートＳの左右両端の基端部は、そのシート受け面１０と収納溝Ｇｂの内壁面とに跨がって締結される前記シート押え板２ｐにより、シールパッキン２ｓを挟んでシート受け面１０の下部に水密に結合される。そして、シール部材ＳＥの下端と、シールパッキン２ｓ及びシート押え板２ｐの各上端とは直接密着している。
【００２７】
前記側部枠Ｇｓの開口部は、その側部枠Ｇｓに回動可能に軸支した側部蓋Ｔ″で開閉可能となっており、出入口Ｅが開放される平時は側部蓋Ｔ″を閉じ位置（図１の（Ｂ））に保持し、また出入口Ｅが閉鎖される際には、側部蓋Ｔ″を開き位置（図１の（Ａ））まで回動させる。
【００２８】
左右の各圧接手段Ａは、防水シートＳの側縁部をシール部材ＳＥに押し付ける押付け位置Ｐ１と同シートＳの側縁部を解放する解放位置Ｐ２との間を回動し得るように側部枠Ｇｓの内壁に軸支Ｐｊされた帯板状のシート押え部材Ｐと、このシート押え部材Ｐの背面に軸受用バンド１３で回動可能に保持された、ハンドルＨＡ付きの操作軸Ｊと、この操作軸Ｊと側部枠Ｇｓの内壁との間に設けられるカム機構ＣＡとを備える。シート押え部材Ｐの、シール部材ＳＥとの対向面には、シート押え部材Ｐが前記押付け位置Ｐ１にあるときに防水シートＳの側縁部を挟んでシール部材ＳＥに食い込ませる突条Ｐｔが一体に突設され、その突条Ｐｔのシートへの喰込み効果により、シール部材ＳＥのシール機能を高めるようにしている。
【００２９】
前記カム機構ＣＡは、シート押え部材Ｐとシール部材ＳＥとの間で防水シートＳの側縁部を挟んだ状態で操作軸Ｊを所定のアンロック位置ＵＬからロック位置ＬＯまで回動操作させるのに連動して、該シート押え部材Ｐを押付け位置Ｐ１まで押し込む押込力を発生させるように作動する。尚、シート押え部材Ｐには、これが前記押付け位置Ｐ１にあるときに前記係止ピン１１を弛く挿入させるピン孔１４が形成される。
【００３０】
前記ハンドルＨＡは、操作軸Ｊの中間部に格納位置（図３鎖線）と使用位置（図３実線）との間で回動可能に軸支されており、その使用位置のハンドルＨＡを作業者が手で掴むことで、操作軸Ｊを所定のアンロック位置ＵＬとロック位置ＬＯ間で回動操作することができる。
【００３１】
前記カム機構ＣＡは、側部枠Ｇｓの内壁（上壁及び下壁）に固定されるストッパＳＴと、このストッパＳＴに係脱可能として操作軸Ｊの上下両端部にそれぞれ固定したカムＣとを備える。そして、そのカムＣは、シート押え部材Ｐとシール部材ＳＥとの間で防水シートＳの側縁部を弛く挟んだ状態で操作軸Ｊをアンロック位置ＵＬからロック位置ＬＯまで回動操作させるときにストッパＳＴと係合、摺接して、シート押え部材Ｐを押付け位置Ｐ１まで押し込む押込力を発生させ、また操作軸Ｊがロック位置ＬＯにあるときには、ストッパＳＴのカム係合面に設けた浅い凹曲面１５にカムＣが係合することで、シート押え部材Ｐがシール部材ＳＥより受ける弾性反力によりカムＣとストッパＳＴとの係合状態が保持されるようになっている。
【００３２】
防水シートＳの自由端縁（上端縁）に固定された前記丸パイプ３の両端部は、防水シートＳより露出しており、その露出端部に突設した係止ピン１６が、側部枠Ｇｓの内壁（上壁及び下壁）に固設した第２フックＦ′に十分な遊びを介して係脱可能に係止される。その係止により、前述のように左右の側方連結部Ｈで防水シートＳの左右側縁部を連結する作業を行う際に防水シートＳの両端部を側部枠Ｇｓの上部に仮置きすることが可能となり、その作業が容易となる。
【００３３】
次に前記実施形態の作用を説明する。建物の出入口Ｅは、平時は図１（Ｂ）に示されるように常時開放されており、この状態では、出入口Ｅ下部の収納溝Ｇｂ及び取付孔Ｅｈは歩行の障害とならないよう下部蓋Ｔ，Ｔ′で塞がれ、また出入口Ｅ側部の側部枠Ｇｓの開口部は側部蓋Ｔ″で塞がれる。また、このとき、図９に明示したように、収納溝Ｇｂ内では、防水シートＳがその中間部を上下に折り重ねるように折り畳まれて収納されると共に、中間柱Ｍが、折り畳まれた防水シートＳ上に横倒し状態で載置されるようにして収納される。
【００３４】
また大雨、高潮等により外部の水が建物内に侵入する可能性が生じた非常時には、その水侵入を未然に防止できるように出入口閉鎖装置Ｘを用いる。即ち、先ず、下部蓋Ｔ，Ｔ′及び側部蓋Ｔ″を開き、次いで収納溝Ｇｂ内から中間柱Ｍを取出して、その基端部を出入口Ｅの床面ｆの取付孔Ｅｈに差し込んで起立姿勢に支持する。しかる後、防水シートＳを上方へ展開させ、そのシート上端縁中間部の被係止部３ａを中間柱Ｍの上端部のフックＦに係止させる。
【００３５】
更に防水シートＳの上部両端に設けた係止ピン１６を側部枠Ｇｓ上部に固定の第２フックＦ′に弛く係止させると共に、同シートＳの左右側縁部に設けた係止孔１２を側部枠Ｇｓ内壁のシート受け面１０の係止ピン１１に嵌合させることで、同シートＳの左右側縁部をシート受け面１０に仮止めする。
【００３６】
この仮止め状態で、解放位置Ｐ２にあるシート押え部材Ｐを押付け位置Ｐ１に向かって回動操作する。この場合、シート押え部材Ｐが押付け位置Ｐ１に到達する手前で、シート押え部材Ｐとシール部材ＳＥとの間に防水シートＳの側縁部を弛く挟んだ状態となるので、この状態から操作軸Ｊ上のハンドルＨＡを使用位置に回動してこれを手で掴み、カム機構ＣＡの操作軸Ｊをアンロック位置ＵＬからロック位置ＬＯまで手動で回動させるようにする。この回動に連動してカム機構ＣＡのカムＣがストッパＳＴと係合、摺接することで、シート押え部材Ｐには、これを押付け位置Ｐ１まで押し込む押込力をカム機構ＣＡから作用する。
【００３７】
そして、操作軸Ｊがロック位置ＬＯに到達した状態では、ストッパＳＴのカム係合面に設けた浅い凹曲面１５にカムＣが係合し、これにより、シート押え部材Ｐがシール部材ＳＥより受ける弾性反力でカムＣとストッパＳＴとの係合状態が保持されるようになっている。
【００３８】
かくして、前記押込力を受けたシート押え部材Ｐは、これ（特に突条Ｐｔ）とシール部材ＳＥとの間に防水シートＳの側縁部を強く挟んだ状態となるので、シール部材ＳＥのシール作用により、側部枠Ｇｓのシール受け面１０と防水シートＳの側縁部との間が確実にシール可能となり、防水シートＳの防水機能が確保される。
【００３９】
而して前記実施形態によれば、中間柱Ｍの上端部に、フックＦを一体的に支持する昇降支持体ＦＳが所定の上限位置と下限位置との間で往復移動可能に取付けられ、その昇降支持体ＦＳと中間柱Ｍ間には、昇降支持体ＦＳを上限位置側に常時、付勢するばね部材ＳＰが設けられるため、中間柱Ｍ上端部に配設されるフックＦが、上方にばね付勢されつつ所定の上限位置と下限位置間での上下移動を許容される。これにより、出入口閉鎖装置Ｘの建物への設置の際（即ち初期設定時）に防水シートＳの弛み調整を厳格に行わなくても、或いは初期設定後において防水シートＳが気温変化等で多少伸縮したとしても、防水シートＳの上端部の被係止部３ａをフックＦに常に的確に係止させることが可能となり、その係止が妄りに外れる虞れはなくなる。従って、その弛み調整の作業能率の向上を図りながら、防水シートＳの中間部上端を中間柱Ｍに的確に係止させて防水シートＳの展開状態を保持することができ、出入口Ｅを的確に閉鎖可能となる。
【００４０】
また前記実施形態において、中間柱Ｍは、平時は出入口Ｅの床面ｆの収納溝Ｇｂ内に収納されていて、防水シートＳの展開時に、出入口Ｅの床面ｆに設けた取付孔Ｅｈに中間柱Ｍの基端部が抜差可能に嵌合、支持される。そのため、中間柱Ｍの保管場所を特別に確保する必要はなく、またシートＳの展開時には、収納溝Ｇｂから取り出した中間柱Ｍの基端部を出入口Ｅの床面ｆの取付孔Ｅｈに単に嵌合するだけで、中間柱Ｍの取付けを簡単且つ迅速的確に行うことができる。
【００４１】
また、左右の側方連結部Ｈにおいては、シート押え部材Ｐとシール部材ＳＥとの間で防水シートＳの側縁部を弛く挟んだ状態で操作軸Ｊを所定のアンロック位置ＵＬからロック位置ＬＯまで単に回動操作させるだけで、その回動操作に連動するカム機構ＣＡが、シート押え部材Ｐを押付け位置Ｐ１まで押し込む強力な押込力を発生させるので、操作軸Ｊ（即ちハンドルＨＡ）に対するワンタッチ回動操作により、防水シートＳの側縁部を出入口Ｅの側壁に簡単且つ的確に、しかも水密に連結可能となる。
【００４２】
さらに操作軸Ｊに固定のカムＣが、操作軸Ｊをアンロック位置ＵＬからロック位置ＬＯまで回動操作させる時に、側部枠Ｇｓ内壁に固定のストッパＳＴと係合して前記押込力を発生させ、且つ該操作軸Ｊがロック位置ＬＯにあるときには、シート押え部材Ｐがシール部材ＳＥより受ける弾性反力でカムＣとストッパＳＴとの係合状態が保持される。そのため、防水シートＳの側縁部と出入口Ｅの側壁との間の水密接続状態を、シール部材ＳＥの弾発力を利用した簡単なロック手段で的確に保持することができる。
【００４３】
以上、本考案の実施の形態について説明したが、本考案は上記実施の形態に限定されるものではなく、実用新案登録請求の範囲に記載された本考案を逸脱することなく種々の設計変更を行うことが可能である。
【００４４】
例えば、前記実施形態では、係止具としてのフックＦを支持する昇降支持体ＦＳを中間柱Ｍの先部に上下摺動可能に支持したものを示したが、本考案では、昇降支持体を中間柱Ｍの先部に上下回動可能に軸支するようにしてもよい。
【００４５】
また前記実施形態では、中間柱Ｍを平時に収納溝Ｇｂ内に収納したものを示したが、本考案では中間柱Ｍを収納溝Ｇｂとは別の保管場所に収納してもよい。
【００４６】
また前記実施形態では、中間柱Ｍを収納溝Ｇｂの床面ｆの取付孔Ｅｈに抜差可能に嵌合、支持したものを示したが、本考案では中間柱Ｍを収納溝Ｇｂの内壁又はその周辺に起伏回動可能に軸支させるようにしてもよい。
【符号の説明】
【００４７】
Ａ・・・・・圧接手段
Ｃ・・・・・カム
ＣＡ・・・・カム機構
Ｅ・・・・・出入口
Ｅｈ・・・・取付孔
Ｆ・・・・・係止具としてのフック
ＦＳ・・・・昇降支持体
ｆ・・・・・出入口の床面
Ｇｂ・・・・収納溝
Ｇｓ・・・・側部枠
Ｈ・・・・・側方連結部
ＨＡ・・・・ハンドル
Ｊ・・・・・操作軸
ＬＯ・・・・ロック位置
Ｍ・・・・・中間柱
Ｐ・・・・・シート押え部材
Ｐ１・・・・押付け位置
Ｐ２・・・・解放位置
Ｐｊ・・・・軸支
Ｓ・・・・・防水シート
ＳＥ・・・・シール部材
ＳＰ・・・・ばね部材としてのコイルスプリング
ＳＴ・・・・ストッパ
Ｔ・・・・・蓋
ＵＬ・・・・アンロック位置
Ｘ・・・・・出入口閉鎖装置
３ａ・・・・被係止部を構成する丸パイプの中間部
１０・・・・シート受け面
【図１】
0003181355.tif 000003
【図２】
0003181355.tif 000004
【図３】
0003181355.tif 000005
【図４】
0003181355.tif 000006
【図５】
0003181355.tif 000007
【図６】
0003181355.tif 000008
【図７】
0003181355.tif 000009
【図８】
0003181355.tif 000010
【図９】
0003181355.tif 000011